(57)【要約】【課題】発光色が互いに異なる複数の光源を時分割で切り替えて点灯させる照明器具及び点灯装置において、切り替え時に半導体発光素子やスイッチング素子にストレスが加わるのを防止できるようにする。【解決手段】スイッチング素子Ｑ２は、チョッピング動作を行う動作期間と、チョッピング動作を休止する休止期間が交互に形成され、休止期間においてスイッチング素子Ｑ２はオフに維持される。１周期の動作の中に、４つのチョッピング期間と４つの休止期間が含まれている。各光源スイッチＱ３，Ｑ４，Ｑ５，Ｑ６が切り替わるタイミングは、休止期間の開始時点（チョッピング動作の終了点）よりも後で、休止期間の終了時点（次のチョッピング動作の始点）までの間に設定されている。【選択図】図３
2015103503.tif 000002
【特許請求の範囲】
【請求項１】
発光色が互いに異なる複数の光源を有し、各光源が半導体発光素子からなる光源ユニット、を点灯させる点灯装置であって、
直流電源回路と、
前記直流電源回路から前記光源ユニットに到る電力ラインに設けられたチョッピングスイッチのチョッピング動作によって出力電流を調整する出力調整回路と、
前記複数の光源にそれぞれ１対１の関係で直列接続されて直列負荷回路を形成する複数の光源スイッチと、
前記各光源に電流を流す時間を制御する制御部と、を有し、
前記直列負荷回路の各々は、前記出力調整回路の出力端に並列に接続され、
前記制御部は、
チョッピング動作を行う動作期間と、チョッピング動作を休止する休止期間とを繰り返すよう前記出力調整回路を動作させると共に、
前記複数の光源スイッチを択一的にオンとなるように順に切り替える動作を行い、
前記複数の光源スイッチの切り替えは、前記休止期間の中で、当該休止期間の始点から時間をおいた時点で行う、
点灯装置。
【請求項２】
前記制御部は、前記出力調整回路がチョッピング動作する動作期間の長さを変えて、前記複数の各光源が発光する時間長を制御する、
請求項１記載の点灯装置。
【請求項３】
前記出力調整回路は、
チョッピングされた脈流電流を平滑するコンデンサを備え、
前記休止期間の始点から、前記複数の光源スイッチを切り替える時点までの時間は、
当該休止期間において前記コンデンサから前記直列負荷回路側に放電が行われるときの時定数以上に設定されている、
請求項１または２に記載の点灯装置。
【請求項４】
前記出力調整回路の出力端に、前記複数の直列負荷回路と並列に放電回路が設けられている、
請求項１〜３のいずれかに記載の点灯装置。
【請求項５】
前記制御部は、
前記複数の光源スイッチの切り替えを、前記休止期間の終了時点よりも前に行う、
請求項１〜４のいずれか記載の点灯装置。
【請求項６】
前記制御部は、さらに、
外部からの指示に基づいて目標電流値を設定し、
前記出力調整回路は、
前記設定された目標電流値に出力電流が合うようにチョッピング動作を行う、
請求項１〜５のいずれかに記載の点灯装置。
【請求項７】
発光色が互いに異なる複数の光源を有し、各光源が半導体発光素子からなる光源ユニットと、
請求項１〜６のいずれかに記載の点灯装置とを備える、
照明器具。
【発明の詳細な説明】
【技術分野】
【０００１】
本発明は、発光色が異なる複数の光源を点灯させて光を出射させる照明器具、及びそれに用いる点灯装置に関する。
【背景技術】
【０００２】
近年、緑色光、青色光、赤色光など、発光色が互いに異なる複数のＬＥＤ（Light Emitting Diode）群を有する光源ユニットと、その光源ユニットを点灯させる点灯装置を備えた照明器具が利用されている。
この照明器具においては、各ＬＥＤ群から出射する光の強度を調整して、各ＬＥＤ群から出射する光の強度を調整することによって、出射される混合光の色度あるいは強度を調整できるようになっている。
【０００３】
点灯装置としては、直流電源回路と、各ＬＥＤ群に対して直列に設けられた複数の定電流回路を備え、各定電流回路のスイッチング素子をＰＷＭ（Pulse Width Modulation）方式で制御して、各ＬＥＤ群の発光量を調整するものが知られている。
一方、特許文献１に開示されるように、色温度の異なる２つのＬＥＤ群にスイッチング素子を接続して、デューティ比を調整しながら、一定の周期で交互に点滅させる時分割方式によって、発光の色温度を調整する技術も知られている。この方式で、各色ＬＥＤ群から出射する光量を調整すれば、ＬＥＤ群ごとに定電流回路を設ける必要もないので、点灯装置における回路の小型化や低コスト化も可能となる。
【先行技術文献】
【特許文献】
【０００４】
【特許文献１】特開２０１１−２５８５１７号公報
【発明の概要】
【発明が解決しようとする課題】
【０００５】
しかし、上記のように、デューティ比を調整しながら時分割で点灯させる時分割方式の場合、電力を供給するＬＥＤ群を順に切り替える時に、スイッチング素子にストレスがかかったり、切り替え直後に電流が流れ始めるＬＥＤ群に対して過大な突入電流が流れることがある。そして、過大な突入電流が生じたＬＥＤ群においては、ＬＥＤ群やスイッチング素子にダメージが加わることがあり、照明器具の寿命が短くなる原因ともなる。
【０００６】
本発明は、上記課題に鑑み、発光色が互いに異なる複数の光源を時分割で切り替えて点灯させる照明器具及び点灯装置において、切り替え時に半導体発光素子やスイッチング素子にストレスが加わるのを防止できるようにすることを目的とする。
【課題を解決するための手段】
【０００７】
上記目的を達成するため、本発明の一態様に係る点灯装置は、発光色が互いに異なる複数の光源を有する光源ユニットを、点灯させるものである。ここで各光源は、半導体発光素子からなる。
この点灯装置は、直流電源回路と、直流電源回路から光源ユニットに到る電力ラインに設けられたチョッピングスイッチのチョッピング動作によって出力電流を調整する出力調整回路と、複数の光源にそれぞれ１対１の関係で直列接続されて直列負荷回路を形成する複数の光源スイッチと、各光源に電流を流す時間を制御する制御部と、を有する。直列負荷回路の各々は、出力調整回路の出力端に並列に接続されている。
【０００８】
そして、制御部は、チョッピング動作を行う動作期間と、チョッピング動作を休止する休止期間とを繰り返すよう出力調整回路を動作させると共に、複数の光源スイッチを択一的にオンとなるように順に切り替える動作を行い、複数の光源スイッチの切り替えは、休止期間の中で、当該休止期間の始点から時間をおいた時点で行うこととした。
また、上記目的を達成するため、本発明の一態様に係る照明器具は、発光色が互いに異なる複数の光源を有し、各光源が半導体発光素子からなる光源ユニットと、上記の点灯装置とを備える、
上記照明器具、並びに点灯装置において、以下のようにしてもよい。
【０００９】
制御部は、出力調整回路におけるチョッピング動作の時間長を変えて、前記複数の光源が発光する時間長を制御する。
出力調整回路には、チョッピングされた脈流電流を平滑するコンデンサを設け、休止期間の始点から、前記複数の光源スイッチを切り替える時点までの時間を、当該休止期間においてコンデンサから直列負荷回路側に放電が行われるときの時定数以上に設定する。
【００１０】
出力調整回路の出力端に、複数の直列負荷回路と並列に放電回路を設ける。
制御部は、複数の光源スイッチの切り替えを、休止期間の終了時点よりも前に行う。
制御部は、さらに、外部からの指示に基づいて目標電流値を設定し、出力調整回路は、出力電流が目標電流値に合うようにチョッピング動作を行う。
【発明の効果】
【００１１】
上記態様に係る点灯装置、並びに照明器具においては、チョッピング動作を行う動作期間と、チョッピング動作を休止する休止期間とを繰り返すよう出力調整回路を動作させ、その休止期間においてチョッピングスイッチがオフになっているときに、複数の光源スイッチは、択一的にオンとなるように切り替えられる。
従って、直流電源回路から出力調整回路を経て出力される電力は、複数の光源に順に供給されて、複数の光源はオン期間が互いに重複しないように時分割で点灯される。
【００１２】
また、複数の光源スイッチの切り替え動作を、休止期間の中で、当該休止期間の始点から時間をおいた時点で行っているので、直列負荷回路に流れる電流が少ない状態のときに、複数の光源スイッチの切り替えが行われる。
従って、直列負荷回路を構成する半導体発光素子や光源スイッチに加わるストレスを低減することができる。
【図面の簡単な説明】
【００１３】
【図１】実施の形態１に係る照明器具１００の回路構成を示す図。
【図２】照明器具１００の制御部２０が行う制御動作を示すフローチャート。
【図３】照明器具１００において、スイッチング素子Ｑ２、スイッチング素子Ｑ３，Ｑ４，Ｑ５の各ゲートに入力される電圧、直流電圧変換回路１２から出力される電流Ｉ１、電圧ＩＣ１を示す波形図。
【図４】バースト制御による効果を説明する波形図であって、（ａ）バースト制御を行う実施例、（ｂ）はバースト制御を行わない比較例。
【図５】（ａ）〜（ｄ）は、制御部２０が備えるテーブルＴ１〜Ｔ４を示す図。
【図６】（ａ）はテーブルＴ１の一具体例を示す図、（ｂ）はテーブルＴ２の一具体例を示す図。
【図７】（ａ），（ｂ）は、出力制御電流データＩＡの大きさによって、光源ユニット１に出力する電流Ｉ１が調整される様子を示すタイミングチャート。
【図８】実施の形態５にかかる照明器具２００の回路構成を示す図。
【図９】実施の形態６にかかる制御部２０の制御動作を示すフローチャート。
【図１０】実施の形態６の照明器具において、光源スイッチＱ３，Ｑ４，Ｑ５のゲート電圧、スイッチング素子Ｑ２のゲート電圧、電力ユニット１０から出力される電流Ｉ１を示す波形図。
【図１１】（ａ）〜（ｃ）は、照明器具１００を適用した照明装置１００ａ〜１００ｃを示す図。
【発明を実施するための形態】
【００１４】
＜実施の形態１＞
実施の形態１に係る照明器具１００について、図１，図２を参照しながら説明する。
１．照明器具１００の全体構成
図１に示すように、照明器具１００は、発光色が異なる複数の光源（ＬＥＤ群３，４，５，６）を有する光源ユニット１と、光源ユニット１のＬＥＤ群３，４，５，６に電流を流して駆動する点灯装置２とを備える。このＬＥＤ群３，４，５，６の発光色は、赤（Ｒ），緑（Ｇ），青（Ｂ），白（Ｗ）である。
【００１５】
図１に示す光源ユニット１において、ＬＥＤ群３，４，５，６は、それぞれ、同じ発光色で同一特性を有するＬＥＤが直列に接続されて構成されている。ただし、ＬＥＤ群３が1個の赤色ＬＥＤ，ＬＥＤ群４が1個の緑色ＬＥＤ，ＬＥＤ群５が1個の青色ＬＥＤ，ＬＥＤ群６が1個の白色ＬＥＤで構成されてもよい。
点灯装置２は、人間の視覚では点滅が視認できない程度に高速で、ＬＥＤ群３，４，５，６を順に点灯させる動作を周期的に繰り返す。それによって、ＬＥＤ群３，４，５，６からの光が混合された混合光が光源ユニット１から出射される。
【００１６】
点灯装置２は、光源ユニット１の各ＬＥＤ群３，４，５，６に直列に接続された複数の光源スイッチＱ３，Ｑ４，Ｑ５，Ｑ６、光源ユニット１に対して直流電力を出力する電力ユニット１０と、光源ユニット１のＬＥＤ群３，４，５，６に電流を流す時間を制御する制御部２０を備える。そしてＬＥＤ群３，４，５，６を点灯させる際に、発光時間を調整することによって、混合光の色や強度を調整できるようになっている。
【００１７】
ここで、ＬＥＤ群３と光源スイッチＱ３とが直列に接続されたものを直列負荷回路３０とする。同様に、ＬＥＤ群４と光源スイッチＱ４とが直列に接続されたもの、ＬＥＤ群５と光源スイッチＱ５とが直列に接続されたもの、ＬＥＤ群６と光源スイッチＱ６とが直列に接続されたものを、直列負荷回路４０，５０，６０とする。
電力ユニット１０は、全波整流回路１１ａ及び平滑回路１１ｂとから構成される直流電源回路１１と、直流電源回路１１から光源ユニット１に供給する出力電流を調整する直流電圧変換回路１２と備える。そして、この直流電圧変換回路１２の出力側に、上記４つの直列負荷回路３０，４０，５０，６０が互いに並列に接続されている。
【００１８】
直流電圧変換回路１２には、直流電源回路１１から光源ユニット１への電力経路をオン／オフするスイッチング素子Ｑ２、このスイッチング素子Ｑ２のオン／オフ動作を制御して一定の電流を出力させるための半導体素子ＩＣ１、電流検出回路１３が設けられている。
制御部２０には、光源ユニット１から出射させる光の発光色を指定する調光調色信号が入力されるようになっている。そして、制御部２０はマイコンＩＣ２を備え、そのメモリには、発光色ごとに各ＬＥＤ群３，４，５，６の発光時間などが対応付けて記憶されたテーブルＴ１が格納されている。
【００１９】
そして、制御部２０に調光調色信号が入力されると、テーブルＴ１を参照し、直流電圧変換回路１２における半導体素子ＩＣ１の制御、並びに光源スイッチＱ３，Ｑ４，Ｑ５，Ｑ６を順番に択一的にオンさせる動作を周期的に繰り返して行う。
それによって、光源ユニット１では、ＬＥＤ群３，ＬＥＤ群４，ＬＥＤ群５，ＬＥＤ群６が、順番に点灯する動作を一定の周期で繰り返し、調光調色信号が指定する発光時間だけ光を出射する。
【００２０】
２．各部の具体的な構成
以下、光源ユニット１、電力ユニット１０、光源スイッチＱ３，Ｑ４，Ｑ５，Ｑ６、制御部２０の具体的な構成例を説明する。
（光源ユニット１）
ＬＥＤ群３，４，５，６を構成する各ＬＥＤは、熱伝導性を考慮して一面に絶縁層で積層された金属材料をベース板とした基板に実装されている。あるいは、放熱特性が比較的良好で耐久性に優れたセラミックス材料や合成樹脂材料をベース板とした基板などに実装してもよい。
【００２１】
各色のＬＥＤは、ＬＥＤのベアチップがパッケージングされた表面実装（ＳＭＤ）方式で基板に実装されている。ただし、表面実装方式に限らず、ＬＥＤのベアチップが基板に直接実装されたチップオンボード（ＣＯＢ）方式で実装されていてもよい。
ＬＥＤのベアチップは、例えば、ＩｎＧａＮ系の素子で透光性のサファイア素子基板に発光層が積層され、発光層はｎ型窒化物半導体層とＩｎＧａＮ発光層とｐ型窒化物半導体層とが順次積層されて形成されている。
【００２２】
白色のＬＥＤについては、青色光を発するＬＥＤのベアチップが用いられ、それに塗布された蛍光体で青色光の一部を波長変換して白色光を発するようになっている。
ベアチップにおける電極は、ｐ型窒化物半導体層上にｐ型電極パッドで形成されたプラス側電極とｎ型窒化物半導体層上にｎ型電極パッドで形成されたマイナス側電極とで形成されている。これらのプラス電極とマイナス電極は、ボンディングワイヤにより電気的に接続されている。ボンディングワイヤは金などの細い線からなり、実装強度の向上とＬＥＤのベアチップの損傷低減のために金を主成分とするバンプを介して電極に接続されている。
【００２３】
なお、発光色の異なるＬＥＤは、一般に層構造や材料が異なるため、それぞれに同じ電流が流れたときの順電圧が異なる。一般に１０ｍＡの電流が流れたときのＬＥＤの順電圧は、赤色ＬＥＤが約１．８Ｖ、緑色ＬＥＤが約２．４Ｖ、青色ＬＥＤ、白色ＬＥＤが約３．６Ｖである。
従って、ＬＥＤ群３，４，５，６についても、それぞれに同じ電流が流れたときの順電圧（Ｖｆ）は一般に異なる。
【００２４】
（電力ユニット１０）
直流電源回路１１は、全波整流回路１１ａと平滑回路１１ｂとからなる。
全波整流回路１１ａは、ダイオードブリッジ回路である。この全波整流回路１１ａの詳細動作については公知であるため説明は省略する。
平滑回路１１ｂは、インダクタＬ１と、スイッチング素子Ｑ１と、ダイオードＤ１と、コンデンサＣ１と、スイッチング素子Ｑ１に流れる電流を検出する抵抗素子Ｒ１とで構成される力率改善型の昇圧チョッパ回路である。
【００２５】
直流電圧変換回路１２は、インダクタＬ２と、スイッチング素子Ｑ２と、コンデンサＣ２と、ダイオードＤ２と、半導体素子ＩＣ１とで構成される降圧チョッパ回路である。
この降圧チョッパ回路において、スイッチング素子Ｑ２は、入力側のＤＣ電圧をチョッピングするチョッピングスイッチとして働き、オン／オフを繰り返すチョッピング動作を行うことによってインダクタＬ２に脈流電流を出力する。
【００２６】
スイッチング素子Ｑ１，Ｑ２は、ＦＥＴ（Field Effect Transistor）である。
スイッチング素子Ｑ２におけるチョッピング動作の動作周波数は、例えば、数十ｋＨｚ〜数百ｋＨｚである。
コンデンサＣ２は、インダクタＬ２から出力される電流を平滑化する。
半導体素子ＩＣ１及びバースト制御回路１４：
半導体素子ＩＣ１は、スイッチング素子Ｑ２をオンオフするパルス信号を繰り返し発振するパルス発振回路、スイッチング素子Ｑ２に過電流が流れることを抑制する保護回路などを備える。この半導体素子ＩＣ１は、スイッチング素子Ｑ２にパルス信号を発振しながら、制御部２０から指示される出力制御データＩＡを目標値として、出力電流Ｉ１を制御する。なお、本実施形態では、出力制御電流の目標値ＩＡは一定の値である。
【００２７】
バースト制御回路１４は、この半導体素子ＩＣ１を駆動させるか否かを制御する。すなわち、バースト制御回路１４は、制御部２０のＩＣ２からチョッピングの開始・終了を指示する開始信号・終了信号を受け、開始信号から終了信号までの間だけ、半導体素子ＩＣ１をチョッピング動作させる。
また、チョッピング開始信号から終了信号までの間以外の時間は、半導体素子ＩＣ１のチョッピング動作を休止させて、スイッチング素子Ｑ２をオフ状態に維持する。
【００２８】
それによって、チョッピング開始信号から終了信号までの期間（チョッピング動作期間）は、スイッチング素子Ｑ２はオン／オフを繰り返しながらＰＷＭ制御されて、出力電流Ｉ１が出力電流の目標値ＩＡに合わせられる。また、チョッピング終了信号から開始信号までの休止期間は、スイッチング素子Ｑ２はオフ状態に維持される。
チョッピング動作期間中における半導体素子ＩＣ１による電流制御は、以下のように、制御部２０から指示される出力制御データＩＡを目標値として、電流検出回路１３からの電圧信号をモニタリングしながらフィードバック制御によって行う。
【００２９】
電流検出回路１３は固定抵抗素子Ｒ２からなり、この固定抵抗素子Ｒ２に表れる電圧値を半導体素子ＩＣ１に出力する。この電圧値は、直流電圧変換回路１２から出力される電流Ｉ１に比例するので、半導体素子ＩＣ１は、電流検出回路１３から入力される電圧値から、出力電流値Ｉ１を検出することができる。
半導体素子ＩＣ１は、検出される出力電流Ｉ１が、制御部２０から指示される出力制御電流の目標値ＩＡに合うように、発振するパルスのパルス幅を調整して、スイッチング素子Ｑ２のＯＮ時間の長さを調整する。すなわち半導体素子ＩＣ１は、検出電流値Ｉ１が出力制御電流の目標値ＩＡよりも低いときは、発振するパルス幅（スイッチング素子Ｑ２のＯＮ時間）を増加させる。一方検出される出力電流値Ｉ１が出力制御電流の目標値ＩＡよりも高いときは、発振するパルス幅（スイッチング素子Ｑ２のＯＮ時間）を減少させる。それによって、出力電流Ｉ１は、出力制御電流の目標値ＩＡに合うよう制御される。
【００３０】
以上の半導体素子ＩＣ１によるスイッチング素子Ｑ２の制御によって、チョッピング動作の期間中は、電力ユニット１０から光源ユニット１に一定の電流を供給する定電流化（定電力化）を実現することができる。
なお、ここでは、半導体素子ＩＣ１が発振するパルス幅（スイッチング素子Ｑ２のＯＮ時間）のＯＮデューティ比を変更することによって電流制御を行ったが、下記実施の形態４で説明するように、発振周波数を増減させることによっても電流を制御できる。
【００３１】
（光源スイッチＱ３，Ｑ４，Ｑ５，Ｑ６及び直列負荷回路３０，４０、５０，６０）
図１に示す各光源スイッチＱ３，Ｑ４，Ｑ５，Ｑ６は、ＭＯＳＦＥＴ（Metal Oxide  Semiconductor Field Effect Transistor）である。ただし、バイポーラトランジスタを使用することもできる。
上述したように、直列負荷回路３０，直列負荷回路４０，直列負荷回路５０，直列負荷回路６０は、直流電圧変換回路１２の出力端に並列に接続されている。
【００３２】
光源スイッチＱ３，Ｑ４，Ｑ５，Ｑ６は、制御部２０からの指示によって順番に択一的にオンされる。それによって、電力ユニット１０から出力される出力電流は、直列負荷回路３０，４０，５０，６０の中で、光源スイッチＱ３，Ｑ４，Ｑ５，Ｑ６がオンされているものに選択的に供給される。
（制御部２０）
制御部２０は、様々な制御処理を実行するマイコンである制御処理部ＩＣ２、テーブルＴ１や各種制御プログラム等が格納されたＲＯＭ（Ｒｅａｄ  Ｏｎｌｙ  Ｍｅｍｏｒｙ）、テーブルＴ１から読み出され、制御処理に利用される各種制御パラメータ値のデータを一時的に記憶するＲＡＭ（Random  Access  Memory）等の揮発性のメインメモリＭＭや、ＥＥＰＲＯＭ（Electrically  Erasable  Programmable  Read−Only  Memory）等の不揮発性のサブメモリＳＭ、時間を計測するタイマＴＭなどを有する。なお、図１においては、ＲＯＭはテーブルＴ１として表示しており、メインメモリＭＭおよびサブメモリＳＭについては、図示を省略している。タイマＴＭやサブメモリＳＭについては、制御処理部ＩＣ２の機能の一部としてもよい。
【００３３】
この制御部２０には、例えば、ユーザがリモートコントローラ（不図示）を操作することによって調光調色信号が入力される。この調光調色信号は、テーブルＴ１に記載されている調光調色信号データＶａ（ｎ）（０〜２５５）の中からいずれか１つを指定する信号であって、信号の形態は、ＤＭＸ信号，ＤＡＬＩ信号，ＵＡＲＴ信号などである。
制御部２０は、調光調色信号Ｖａ（ｎ）を取得すると、それに基づいて、バースト制御回路１４に、チョッピング動作を開始させる開始信号、及びチョッピング動作を終了させる終了信号を送る。また制御部２０は、光源スイッチＱ３，Ｑ４，Ｑ５，Ｑ６のゲートにオン／オフ信号を送るなどの動作を行う。
【００３４】
制御部２０のメモリに格納されているテーブルＴ１について説明する。図５（ａ）に、図１に記載したのと同じテーブルＴ１を示している。
テーブルＴ１には、調光調色信号データＶａ（ｎ）と、バースト制御時間データＴＡ（ｎ），ＴＢ（ｎ），ＴＣ（ｎ），ＴＤ（ｎ）および出力制御時間データｔａ（ｎ），ｔｂ（ｎ），ｔｃ（ｎ），ｔｄ（ｎ）とが対応づけられており、制御部２０のＲＯＭに記憶されている。
【００３５】
調光調色信号データＶａ（ｎ）のｎは、上記２５６種類のうちユーザにより選択された何れか１つの組み合わせ番号を示す０から２５５の何れか１つの数字である。例えば、１０番目の組み合わせを示す場合は、調光調色信号Ｖａ（１０）のように表される。特定の組み合わせを表さず、総称する場合は、調光調色信号Ｖａ（ｎ）として表示する。
バースト制御時間データＴＡ（ｎ），ＴＢ（ｎ），ＴＣ（ｎ），ＴＤ（ｎ）は、１周期の中でＬＥＤ群３，４，５，６に電力を供給する時間の長さを示すデータである。すなわち光源ユニット１から各番号に相当する光を出射させる上で必要なＬＥＤ群３，４，５，６の発光時間長さを示すデータである。また、出力制御時間データｔａ（ｎ），ｔｂ（ｎ），ｔｃ（ｎ），ｔｄ（ｎ）は、１周期の中におけるスイッチング素子Ｑ３，Ｑ４，Ｑ５，Ｑ６のオン期間の長さを示すデータである。この場合においても、ｎはユーザにより選択された組み合わせ番号を示す数字である。
【００３６】
バースト制御時間データＴＡ（ｎ）は、出力制御時間データｔａ（ｎ）よりも短く設定されている。同様に、バースト制御時間データＴＢ（ｎ），ＴＣ（ｎ），ＴＤ（ｎ）は、出力制御時間データｔｂ（ｎ），ｔｃ（ｎ），ｔｄ（ｎ）よりも短く設定されている。この時間差については、詳しくは後で説明するが、チョッピング動作を休止させる休止期間の時間長さに相当する。
【００３７】
バースト制御時間データＴＡ（ｎ），ＴＢ（ｎ），ＴＣ（ｎ），ＴＤ（ｎ）を調整することにより、光源３，４，５，６から出射される時間をそれぞれ調整して、出射光の調色を行うことができる。
また、出力制御時間データｔａ（ｎ），ｔｂ（ｎ），ｔｃ（ｎ），ｔｄ（ｎ）を調整して休止期間の長さを変えることによって、１周期の時間長さが変わるので、調光を行うことができる。すなわち、出力制御時間データの合計[ｔａ（ｎ）＋ｔｂ（ｎ）＋ｔｃ（ｎ）＋ｔｄ（ｎ）]を長くすると、照明器具１００から出射される単位時間の発光量は小さくなる。
【００３８】
図６（ａ）は、テーブルＴ１の一具体例を示すものである。当図では、２５６個の調光調色信号データＶａ（ｎ）の中で、８つのＮｏ．（ｎ＝０，１，１０，１１，２０，２１，３０，３１）だけについて代表的に、ＴＡ（ｎ），ｔａ（ｎ），ＴＢ（ｎ），ｔｂ（ｎ），ＴＣ（ｎ），ｔｃ（ｎ），ＴＤ（ｎ），ｔｄ（ｎ）の数値を記載し、残りのＮｏ．についてはこれら数値の記載を省略している。
【００３９】
図６（ａ）に示すテーブルＴ１の具体例では、Ｖａ（０），Ｖａ（１）は、４色のＬＥＤ群の発光時間が均等に設定されていて、これらが選択されたときは光源ユニット１から白色光が出射される。ただし、Ｖａ（１）が選択されたときは、Ｖａ（０）と比べて１周期内における発光時間の割合（デューティ比）が小さいので、単位時間の発光量は若干小さくなる。
【００４０】
一方、Ｖａ（１０），Ｖａ（１１）では、赤色の発光時間が他の色の発光時間より長く設定され、これらが選択されたときは光源ユニット１から出射される光は、白色光に赤色光が混合された色の光となる。
Ｖａ（２０），Ｖａ（２１）では緑色の発光時間が他の色の発光時間より長く設定され、これらが選択されたときは光源ユニット１から出射される光は、白色光に緑色光が混合された色の光となる。
【００４１】
Ｖａ（３０），Ｖａ（３１）では青色の発光時間が他の色の発光時間より長く設定され、これらが選択されたときは光源ユニット１から出射される光は、白色光に緑色光が混合された混合光となる。
（制御部２０における制御動作）
制御部２０がテーブルＴ１を参照しながら行う制御動作について、図２に示すフローチャートを参照しながら説明する。
【００４２】
図３は、この制御動作の結果形成される光源スイッチＱ３，Ｑ４，Ｑ５，Ｑ６のゲート電圧、スイッチング素子Ｑ２のゲート電圧、電力ユニット１０から出力される電流Ｉ１、電力ユニット１０出力端の電圧Ｖｃ１を示す波形図である。
照明器具１００に電源が投入されると、図２に示すフローが開始され、初回処理が実行される（ステップＳ１）。ここで、初回処理について、以下に説明する。先ず、制御処理部ＩＣ２は、サブメモリＳＭに記憶されている調光調色信号データＶａ（ｎ）を読み出す。そして、読み出された調光調色信号データＶａ（ｎ）に対応するバースト制御時間データＴＡ（ｎ），ＴＢ（ｎ），ＴＣ（ｎ），ＴＤ（ｎ）および、出力制御時間データｔａ（ｎ），ｔｂ（ｎ），ｔｃ（ｎ），ｔｄ（ｎ）をテーブルＴ１から読み出し、これらのデータをメインメモリＭＭに記憶させる。以上の処理が、実施形態１のフローにおける初回処理である。
【００４３】
ここで、電源投入後に最初にサブメモリＳＭから読み出される調光調色信号データＶａ（ｎ）は、前回使用時に最後にサブメモリＳＭに記憶された調光調色信号データである。即ち、前回使用時にユーザにより最後に選択された調光調色設定である組み合わせ番号を示すデータである。
そして、制御部２０は、タイマTMをリセットしてスタートすると共に、バースト制御回路１４にチョッピング動作開始を指示する。また、光源スイッチＱ３をオンし、光源スイッチＱ４，Ｑ５，Ｑ６をオフとする（ステップＳ２、図３の時点ｔ１）。ここで、光源スイッチを「オフとする」という用語は、既にオフの状態である光源スイッチについては、オフ状態を維持することを意味する。
次に、タイマＴＭの値であるＴｍがＴＡ（ｎ）に達したかどうかを監視する（ステップＳ３）。このＴＡ（ｎ）は、メインメモリＭＭに記憶されている調光調色信号データＶａ（ｎ）に対応したバースト制御時間データＴＡ（ｎ）である。ここでは、ステップＳ１においてサブメモリＳＭから読み出された調光調色信号データが、具体的に例えば、Ｖａ（１０）であれば、メインメモリＭＭに記憶されたバースト制御時間データはＴＡ（１０）であるので、ステップＳ３でＴＭの判断の対象とされるバースト制御時間データはＴＡ（１０）である。以下、本フローの各ステップにおける各種制御パラメータにおける（ｎ）についても、同様とする。
【００４４】
ＴｍがＴＡ（ｎ）に達したら、制御部２０は、バースト制御回路１４にチョッピング動作の終了を指示する。それによってスイッチング素子Ｑ２はオフ状態となる（ステップＳ４，図３の時点ｔ２）。
続いて、Ｔｍがｔａ（ｎ）に達したかどうかを監視し（ステップＳ５）、ｔａ（ｎ）に達したら、制御部２０は、タイマＴＭをリセットしてスタートすると共に、バースト制御回路１４にチョッピング動作開始を指示する。それによって、半導体素子ＩＣ１はスイッチング素子Ｑ２のチョッピング動作を開始する。また制御部２０は、光源スイッチＱ４をオンし、光源スイッチＱ３，Ｑ５，Ｑ６をオフとする。それによってオンとなる光源スイッチがＱ３からＱ４に切り替わる（ステップＳ６、図３の時点ｔ３）。
【００４５】
以上のステップＳ２〜Ｓ６の制御の結果、バースト制御時間データＴＡ（ｎ）に相当する時点ｔ１〜時点ｔ２の期間、ＬＥＤ群３が点灯して赤色光が出射される。また、時点ｔ２〜時点ｔ３の期間は、スイッチング素子Ｑ２はオフ状態に維持される。
次に、ＴｍがＴＢ（ｎ）に達したかどうかを監視し（ステップＳ７）、ＴＢ（ｎ）に達したら、制御部２０は、バースト制御回路１４にチョッピング動作の終了を指示する。それによってスイッチング素子Ｑ２はオフ状態となる（ステップＳ８、図３の時点ｔ４）。
【００４６】
続いて、Ｔｍがｔｂ（ｎ）に達したかどうかを監視し（ステップＳ９）、ｔｂ（ｎ）に達したら、制御部２０は、タイマＴＭをリセットしてスタートすると共に、バースト制御回路１４にチョッピング動作開始を指示する。それによって、半導体素子ＩＣ１はスイッチング素子Ｑ２のチョッピング動作を開始する。また、制御部２０は、光源スイッチＱ５をオンし、光源スイッチＱ３，Ｑ４，Ｑ６をオフとする。それによってオンとなる光源スイッチがＱ４からＱ５に切り替わる（ステップＳ１０、図３の時点ｔ５）。
【００４７】
以上のステップＳ６〜Ｓ１０の制御の結果、バースト制御時間データＴＢ（ｎ）に相当する時点ｔ３〜時点ｔ４の間、ＬＥＤ群４が点灯して緑色光が出射される。また、時点ｔ４〜時点ｔ５の期間は、スイッチング素子Ｑ２がオフ状態に維持される。
次に、ＴｍがＴＣ（ｎ）に達したかどうかを監視し（ステップＳ１１）、ＴＣ（ｎ）に達したら、制御部２０は、バースト制御回路１４にチョッピング動作の終了を指示する。スイッチング素子Ｑ２はオフ状態に維持される（ステップＳ１２、図３の時点ｔ６）。
【００４８】
続いて、Ｔｍがｔｃ（ｎ）に達したかどうかを監視し（ステップＳ１３）、ｔｃ（ｎ）に達したら、制御部２０は、タイマＴＭをリセットしてスタートすると共に、バースト制御回路１４にチョッピング動作開始を指示する。それによって、半導体素子ＩＣ１はスイッチング素子Ｑ２のチョッピング動作を開始する。また、制御部２０は、光源スイッチＱ６をオンし、光源スイッチＱ３，Ｑ４，Ｑ５をオフとする。それによってオンとなる光源スイッチがＱ５からＱ６に切り替わる（ステップＳ１４、図３の時点ｔ７）。
【００４９】
以上のステップＳ１０〜Ｓ１４の制御の結果、バースト制御時間データＴＣ（ｎ）に相当する時点ｔ５〜時点ｔ６の期間、ＬＥＤ群５が点灯して青色光が出射される。また、時点ｔ６〜時点ｔ７の期間は、スイッチング素子Ｑ２はオフ状態に維持される。
次に、ＴｍがＴＤ（ｎ）に達したかどうかを監視し（ステップＳ１５）、ＴＤ（ｎ）に達したら、制御部２０は、バースト制御回路１４にチョッピング動作の終了を指示する。それによって、スイッチング素子Ｑ２はオフ状態となる（ステップＳ１６、図３の時点ｔ８）。
【００５０】
続いて、Ｔｍがｔｄ（ｎ）に達したかどうかを監視し（ステップＳ１７）、ｔｄ（ｎ）に達したら（図３の時点ｔ１）、調光調色信号データＶａ（ｎ）の取得がなされていない場合（ステップＳ１８でＮｏ）は、制御部２０は、ステップＳ２に戻って、上記ステップＳ２からの動作を繰り返す。それによってオンとなる光源スイッチがＱ６からＱ３に切り替わる。
【００５１】
以上のステップＳ１４〜Ｓ１８、Ｓ２の制御の結果、バースト制御時間データＴＤ（ｎ）に相当する時点ｔ７〜時点ｔ８の期間、ＬＥＤ群６が点灯して白色光が出射される。また、時点ｔ８〜時点ｔ９の期間は、スイッチング素子Ｑ２がオフ状態に維持される。
一方、調光調色信号データＶａ（ｎ）が取得されている場合（ステップＳ１８でＹｅｓ）、制御部２０は、取得した調光調色信号データＶａ（ｎ）をサブメモリＳＭに記憶する。また、制御部２０はテーブルＴ１を参照して、調光調色信号データＶａ（ｎ）に対応するバースト制御時間データＴＡ（ｎ）〜ＴＤ（ｎ）及び出力制御時間データｔａ（ｎ）〜ｔｄ（ｎ）を読み出してメインメモリＭＭに記憶する（ステップＳ１９）。そして、ステップＳ１に戻り、ステップＳ１からの動作を繰り返す。
【００５２】
ここで、ステップＳ１８で新たに取得された調光調色信号データが、具体的に例えば、Ｖａ（２０）である場合、ステップＳ１９でサブメモリＳＭに記憶されるのは、調光調色データＶａ（２０）である。そして、メインメモリＭＭに記憶されるのは、バースト制御時間データＴＡ（２０），ＴＢ（２０），ＴＣ（２０），ＴＤ（２０）、および出力制御時間データｔａ（２０），ｔｂ（２０），ｔｃ（２０），ｔｄ（２０）である。従って、ステップＳ１９からステップＳ２に戻った場合、以下ステップＳ２からステップＳ１８の処理において使用されるのは、バースト制御時間データＴＡ（２０），ＴＢ（２０），ＴＣ（２０），ＴＤ（２０）、および出力制御時間データｔａ（２０），ｔｂ（２０），ｔｃ（２０），ｔｄ（２０）である。
【００５３】
制御部２０は、以上のステップＳ１〜Ｓ１９を一周期として、同様の動作を繰り返し行う。
それによって、照明器具１００の各ＬＥＤ群３，４，５，６は、調光調色信号データＶａ（ｎ）で指定された番号に対応するバースト制御時間データＴＡ（ｎ）〜ＴＤ（ｎ）に相当する時間ずつ、時分割で発光する。
【００５４】
なお、照明器具１００の製品出荷時には、デフォルトの調光調色信号データＶａ（ｎ）がサブメモリＳＭに記憶されている。初回使用時には、ステップＳ１において、上記デフォルトの調光調色信号データＶａ（ｎ）がサブメモリＳＭから読み出される。そして、読み出されたデフォルトの調光調色信号データＶａ（ｎ）に対応した出力制御時間データＴＡ（ｎ），ＴＢ（ｎ），ＴＣ（ｎ），ＴＤ（ｎ）および出力制御時間データｔａ（ｎ），ｔｂ（ｎ），ｔｃ（ｎ），ｔｄ（ｎ）がテーブルＴ１から読み出されてメインメモリＭＭに記憶される。これらメインメモリＭＭに記憶されたデータは、ステップＳ２からステップＳ１８の制御に用いられる。そしてその後、ユーザにより調光調色の設定入力が行われると、デフォルトの調光調色信号データＶａ（ｎ）に対応した出力制御時間データＴＡ（ｎ），ＴＢ（ｎ），ＴＣ（ｎ），ＴＤ（ｎ）および出力制御時間データｔａ（ｎ），ｔｂ（ｎ），ｔｃ（ｎ），ｔｄ（ｎ）は、新たに入力された設定（新たに取得された調光調色信号データＶａ（ｎ））に対応したデータに上書きされる。以下、各実施形態および各変形例においても同様である。
【００５５】
（照明器具１００における時分割駆動とその効果）
以上説明したフローチャートに基づく制御動作によって、各光源スイッチＱ３，Ｑ４，Ｑ５，Ｑ６は択一的にＯＮされるように切り替わる。また、ＬＥＤ群３，４，５，６は、[ｔａ（ｎ）＋ｔｂ（ｎ）＋ｔｃ（ｎ）+ｔｄ（ｎ）]に相当する時間を１周期として、出力制御時間データＴＡ（ｎ），ＴＢ（ｎ），ＴＣ（ｎ），ＴＤ（ｎ）に相当する長さで、順に発光する動作が繰り返され、赤色，緑色，青色，白色の光がこの比率で出射される。
【００５６】
従って、１周期の中でＬＥＤ群３，４，５，６が時分割で１回ずつオンする動作を繰り返して、調光調色信号Ｖａ（ｎ）によって指定された発光色の光が出射されることになる。
このように、複数のＬＥＤ群３，４，５，６を時分割で点灯することによって、各ＬＥＤ群３，４，５，６の明るさを変更しながら発光色を可変させて容易に調色が出来る。また、基本的に１つの直流電圧変換回路１２から出力し、各ＬＥＤ群３，４，５，６に個別に定電流回路を設けてないので、回路の小型化、低コスト化を図ることもできる。
【００５７】
なお、ＬＥＤ群３，４，５，６は時分割で点灯されるので、１周期（ｔａ（ｎ）＋ｔｂ（ｎ）＋ｔｃ（ｎ）+ｔｄ（ｎ））の時間が長ければ、目視でちらつきが感じられるが、１周期を約１５ｍｓ以下に設定することによって、目視によるちらつきを抑えることができる。また、１周期を約１０ｍｓ以下にすれば、さらに目視によるちらつきを抑えることができる。
【００５８】
ここで、図６（ａ）に示すテーブルＴ１の具体例の場合は、１周期[ｔａ（ｎ）＋ｔｂ（ｎ）＋ｔｃ（ｎ）+ｔｄ（ｎ）]の時間は、６ｍｓ〜１０ｍｓに設定されている。
（バースト制御とその効果）
上記の制御部２０による制御動作によって、図３の動作波形に示されるように、スイッチング素子Ｑ２のチョッピング動作を行う動作期間と、チョッピング動作を休止する休止期間が交互に形成され、休止期間においてはスイッチング素子Ｑ２がオフに維持される。
【００５９】
このようにチョッピング動作の動作期間と、スイッチング素子Ｑ２をオフに維持する休止期間とが交互に繰り返されるように制御することを、本明細書ではバースト制御といっている。
１周期の動作の中に、４つのチョッピング期間と４つの休止期間が含まれている。各休止期間の長さは、[ｔａ（ｎ）−ＴＡ（ｎ）]、[ｔｂ（ｎ）−ＴＢ（ｎ）]、[ｔｃ（ｎ）−ＴＣ（ｎ）]、[ｔｄ（ｎ）−ＴＤ（ｎ）]である。
【００６０】
図３の動作波形では、各光源スイッチＱ３，Ｑ４，Ｑ５，Ｑ６が切り替わるタイミングは、休止期間の開始時点（チョッピング動作の終了点）よりも後で、休止期間の終了時点（次のチョッピング動作の始点）までの間に設定されている。
本実施の形態では、各光源スイッチＱ３，Ｑ４，Ｑ５，Ｑ６が切り替わるタイミングは、休止期間の中でも、休止期間の終了時点と同時である。従って、休止期間の開始から光源スイッチＱ３，Ｑ４，Ｑ５，Ｑ６の切り替えまでの時間Δｔａ，Δｔｂ，Δｔｃ，Δｔｄは、休止期間の長さと同じである。すなわち、Δｔａ＝ｔａ（ｎ）−ＴＡ（ｎ），Δｔｂ＝ｔｂ（ｎ）−ＴＢ（ｎ），Δｔｃ＝ｔｃ（ｎ）−ＴＣ（ｎ），Δｔｄ＝ｔｄ（ｎ）−ＴＤ（ｎ）である。
【００６１】
このように光源スイッチＱ３，Ｑ４，Ｑ５，Ｑ６の切り替えを、休止期間の中で、休止期間の開始時点から時間をおいて行うことによって得られる効果について、以下に説明する。
図４は、バースト制御による効果を説明する波形図であって、（ａ）バースト制御を行う実施例、（ｂ）はバースト制御を行わない比較例について示す。
【００６２】
実施例及び比較例いずれも、１周期において光源スイッチＱ３，４，５，６が、順番に択一的にＯＮとなり、ＬＥＤ群３，４，５，６がこの順で点灯する動作を行う点は同様である。
図４においては、光源スイッチＱ６がＯＮとなりＬＥＤ群６が点灯する期間と、次に周期において光源スイッチＱ３がＯＮとなりＬＥＤ群３が点灯する期間を抜き出して示している。
【００６３】
バースト制御を行わない比較例では、図４（ｂ）に示すように、スイッチング素子Ｑ２のチョッピング動作には休止期間が設けられず、チョッピング動作中に光源スイッチＱ３，Ｑ４，Ｑ５，Ｑ６のＯＮ／ＯＦＦ切り替えが行われる。この比較例では、光源スイッチＱ３，Ｑ４，Ｑ５，Ｑ６のＯＮ時間の長さ[ｔａ（ｎ），ｔｂ（ｎ），ｔｃ（ｎ），ｔｄ（ｎ）]だけ、ＬＥＤ群３，４，５，６が点灯することになる。
【００６４】
比較例の場合、スイッチング素子Ｑ２のチョッピング動作を行って電流が流れているときに、光源スイッチＱ３，Ｑ４，Ｑ５，Ｑ６のＯＮ／ＯＦＦ切り替えを行うと、光源スイッチＱ３，Ｑ４，Ｑ５，Ｑ６にストレスがかかり、寿命低下の原因となり得る。
一方、実施例では、図３，図４（ａ）に示すように、チョッピング動作を休止する休止期間が設けられ、休止期間の開始から時間Δｔａ，Δｔｂ，Δｔｃ，Δｔｄをおいてから光源スイッチＱ３，Ｑ４，Ｑ５，Ｑ６の切り替えがなされる。
【００６５】
チョッピング動作の休止期間においては、直流電圧変換回路１２のコンデンサＣ２に残っている電荷が光源ユニット１に流れるので、図３，図４（ａ）に示すように、電力ユニット１０から出力される電流Ｉ１は徐々に低下する。それに伴って、直流電圧変換回路１２の出力端の電圧ＶＣ１も徐々に低下する。
従って、電流Ｉ１及び電圧ＶＣ１が低下した時点で、光源スイッチＱ３，Ｑ４，Ｑ５，Ｑ６の切り替えがなされることになるので、光源スイッチＱ３，Ｑ４，Ｑ５，Ｑ６にかかるストレスは少なくなる。
【００６６】
また、以下に説明するように、ＬＥＤ群３，４，５，６の順電圧（Ｖｆ）が異なる場合には、直列負荷回路への突入電流が発生しやすいが、バースト制御を行う実施例では、それを抑える効果もある。
上記のように一般的にＬＥＤ群３，４，５，６の各順電圧（Ｖｆ）は互いに異なっているため、光源スイッチＱ３，Ｑ４，Ｑ５，Ｑ６のいずれがオンになっているかによって、直流電圧変換回路１２の出力端の電圧Ｖｃ１の大きさが変わる。
【００６７】
図３では、各光源スイッチＱ３，４，５，６がオンになっているときの電圧Ｖｃ１の大きさを、Ｖ３，Ｖ４，Ｖ５，Ｖ６で示している。
図３の例では、ＬＥＤ群３，４，５，６の順電圧（Ｖｆ）が、この順で高くなっていることによって、電圧Ｖｃ１もＶ３，Ｖ４，Ｖ５，Ｖ６の順で高くなっている（Ｖ３＜Ｖ４＜Ｖ５＜Ｖ６）。
【００６８】
従って、図４（ａ），（ｂ）に示す期間は、電流が流れるＬＥＤ群が、順電圧（Ｖｆ）の高いＬＥＤ群６から、順電圧（Ｖｆ）の低いＬＥＤ群３に切り替わる期間である。
ここで、図４（ｂ）に示す比較例のように、チョッピング動作中に、オンとなっている光源スイッチがＱ６からＱ３に切り替わると、順電圧（Ｖｆ）の高いＬＥＤ群６に流れていた電流が、順電圧（Ｖｆ）の低いＬＥＤ群３に切り替わって流れる。このときに、光源スイッチＱ３とＬＥＤ群３からなる直列負荷回路３０には、過剰な突入電流が流れやすい。
【００６９】
これに対して、図４（ａ）に示す実施例では、直流電圧変換回路１２からの電流Ｉ１及び電圧ＶＣ１が低下した時点で、オンとなる光源スイッチがＱ６からＱ３に切り替わる。従って、直列負荷回路３０への過剰な突入電流が抑えられ、光源スイッチＱ３とＬＥＤ群３にかかるストレスは少なくなる。
以上のように、本実施形態によれば、ＬＥＤ群３，４，５，６への過剰な突入電流による劣化を抑え、ＬＥＤや光源スイッチＱ３，Ｑ４，Ｑ５，Ｑ６のストレスによる劣化を抑えることができるので、装置の長寿命化を図ることができる。
【００７０】
（休止期間の開始から光源スイッチＱ３，Ｑ４，Ｑ５，Ｑ６の切り替えまでの時間）
休止期間の開始点から、光源スイッチＱ３，Ｑ４，Ｑ５，Ｑ６を切り替えるまでの各時間Δｔａ，Δｔｂ，Δｔｃ，Δｔｄの長さは、チョッピング動作時にスイッチング素子Ｑ２をオン／オフする周期より長く設定することとする。
また、光源スイッチＱ３，Ｑ４，Ｑ５，Ｑ６の切り替えは、できだけ出力電流Ｉ１が小さくなる時点（電流０に近い時点）で行うことが好ましい。
【００７１】
ここで、休止期間に入ってから電流Ｉ1が低下する速度は、コンデンサＣ２から各直列負荷回路３０，４０，５０，６０の側に放電がなされるときの時定数によって決まるとみることができる。
すなわち、休止期間の開始時点では電流Ｉ1はＩＡであるが、コンデンサＣ２から各直列負荷回路３０，４０，５０，６０の側に放電がなされるときの時定数に相当する時間が経過すると、電流はＩＡの３７％程度に低下する。そして、さらに時間が経過すると、電流Ｉ1は０に近づく。
【００７２】
このような考察から、各時間Δｔａ，Δｔｂ，Δｔｃ，Δｔｄの長さは、休止期間においてコンデンサＣ２から各直列負荷回路３０，４０，５０，６０に放電が行われるときの時定数以上に設定することが望ましいといえる。また、各時間Δｔａ，Δｔｂ，Δｔｃ，Δｔｄの長さを、出力電流Ｉ１がほぼ０になる時間以上に設定することが好ましいともいえる。
【００７３】
一方、各時間Δｔａ，Δｔｂ，Δｔｃ，Δｔｄの長さを長く設定すると、１周期（ｔａ（ｎ）＋ｔｂ（ｎ）＋ｔｃ（ｎ）+ｔｄ（ｎ））の時間も長くなる。そして、この１周期の時間が長くなりすぎるとちらつきが発生しやすくなる。
従って、以上の点を合せて考慮して、各時間Δｔａ，Δｔｂ，Δｔｃ，Δｔｄの長さを適度な長さに設定すればよい。
【００７４】
図６（ａ）に示したテーブルＴ１の具体例では、Δｔａ，Δｔｂ，Δｔｃ，Δｔｄの長さはいずれも０．５ｍｓに設定されている。
１周期の中に含まれる４つの時間Δｔａ，Δｔｂ，Δｔｃ，Δｔｄは、一律的に同じ長さに設定することが、設計上容易と考えられる。ただし、この長さは一律的でなくてもよく、例えば、チョッピング動作の期間ＴＡ（ｎ），ＴＢ（ｎ），ＴＣ（ｎ），ＴＤ（ｎ）の長さに応じて、それに続くΔｔａ，Δｔｂ，Δｔｃ，Δｔｄの時間長さを変えてもよい。
【００７５】
（照明器具１００の適用例）
図１１（ａ）〜（ｃ）は、上記構成の照明器具１００を適用した照明装置１００ａ〜１００ｃの外観図である。
図１１（ａ）に示す照明装置１００ａは、ダウンライトに適用した例であって、点灯装置２と灯体７ａとを有し、両者は配線８で接続されている。そして、灯体７ａの中に光源ユニット１が装着されている。
【００７６】
図１１（ｂ）に示す照明装置１００ｂ，１００ｃは、スポットライトに適用した例である。
照明装置１００ｂも、点灯装置２と灯体７ｂとを有し、両者は配線（不図示）で接続されている。そして、灯体７ｂの中に光源ユニット１が装着されている。
また照明装置１００ｃも、点灯装置２と灯体７ｃとを有し、両者は配線８で接続されている。そして、灯体７ｃの中に光源ユニット１が装着されている。
【００７７】
照明器具１００は、この他に、電球色から昼白色まで黒体軌跡及びＣＩＥ昼光に沿うように調色する製品、例えばシーリングライト等にも適用できる。
このように、上述した照明器具１００を各種の照明装置に適用することによって、装置の小型化を図りながら、過電流などの影響を防止して照明装置の長寿命化を図ることができる。
【００７８】
（実施の形態１のまとめ）
照明器具１００は、直流電源回路１１と、直流電源回路１１から光源ユニット１に到る電力ラインに設けられたスイッチング素子Ｑ２を繰り返しオン／オフするチョッピング動作によって出力電流を調整する直流電圧変換回路１２と、発光色が互いに異なる複数のＬＥＤ群３，４，５，６を有する光源ユニット１と、各ＬＥＤ群３，４，５，６に流す電流を制御する制御部２０と、を有する。そして、各ＬＥＤ群３，４，５，６と１対１の関係で光源スイッチＱ３，Ｑ４，Ｑ５，Ｑ６が直列接続された直列負荷回路３０，４０，５０，６０の各々が、直流電圧変換回路１２の出力端に並列に接続されている。
【００７９】
制御部２０は、チョッピング動作を行う動作期間と、チョッピング動作を休止してスイッチング素子Ｑ２をオフに維持する休止期間とを繰り返すよう直流電圧変換回路１２を動作させる。それと共に、複数の光源スイッチＱ３，Ｑ４，Ｑ５，Ｑ６を択一的にオンとなるように順に切り替える動作を行う。ここで、複数の光源スイッチＱ３，Ｑ４，Ｑ５，Ｑ６の切り替えは、休止期間の中で、当該休止期間の始点から時間をおいた時点で行う。
【００８０】
従って、直流電圧変換回路１２から出力される電力は、複数のＬＥＤ群３，４，５，６に順に供給されて、ＬＥＤ群３，４，５，６はオン期間が互いに重複しないように時分割で点灯される。
また、複数の光源スイッチＱ３，Ｑ４，Ｑ５，Ｑ６の切り替え動作を、休止期間の中で、休止期間の始点から時間をおいた時点で行っているので、直列負荷回路３０，４０，５０，６０に流れる電流が少ない状態のときに、その切り替え動作が行われる。
【００８１】
それによって、切り替え時に、直列負荷回路３０，４０，５０，６０を構成するＬＥＤ群３，４，５，６や光源スイッチＱ３，Ｑ４，Ｑ５，Ｑ６に加わるストレスを低減することができる。
＜実施の形態２＞
本実施形態にかかる照明器具の構成は、図１に示した実施の形態１の照明器具１００と同様である。また、制御部２０の制御動作も、図２に示したフローチャートに基づいて行われる。
【００８２】
ただし、本実施の形態では、制御部２０は、図５（ｂ）に示すテーブルＴ２を記憶しており、このテーブルＴ２を参照して制御動作を行う。
本実施の形態の照明器具において、調光調色信号Ｖａ（ｎ）が指示する番号に基づいて、テーブルＴ２から出力制御時間データＴＡ（ｎ），ＴＢ（ｎ），ＴＣ（ｎ），ＴＤ（ｎ）が読み出されて、ＬＥＤ群３，４、５，６がその時間だけ点灯して、合成光を出射させる点は実施の形態１と同様である。
【００８３】
一方、本実施形態の照明器具では、テーブルＴ２に格納されている各出力制御時間データｔａ（ｎ），ｔｂ（ｎ），ｔｃ（ｎ），ｔｄ（ｎ）は、固定値ｔａｓ，ｔｂｓ，ｔｃｓ，ｔｄｓであって、調光調色信号Ｖａによって変わらない点が、実施の形態１と異なっている。
テーブルＴ２において、出力制御時間データＴＡ（ｎ），ＴＢ（ｎ），ＴＣ（ｎ），ＴＤ（ｎ）の値は、最大でも、出力制御時間データｔａｓ，ｔｂｓ，ｔｃｓ，ｔｄｓの値よりは小さい値に設定されている。
【００８４】
図６（ｂ）は、テーブルＴ２の一具体例を示すものである。当図においても、２５６個の調光調色信号データＶａ（ｎ）の中で、８つの（Ｎｏ．０，１，１０，１１，２０，２１，３０，３１）だけについて代表的に、ＴＡ（ｎ），ＴＢ（ｎ），ＴＣ（ｎ），ＴＤ（ｎ）の数値を記載し、残りのＮｏ．についてはこれら数値の記載を省略している。
図６（ｂ）のテーブルＴ２において、ＴＡ（ｎ），ＴＢ（ｎ），ＴＣ（ｎ），ＴＤ（ｎ）の値は、３．０ｍｓ以下の範囲で設定され、出力制御時間データｔａｓ，ｔｂｓ，ｔｃｓ，ｔｄｓは、３．５ｍｓで一律に設定されている。従って、休止期間の長さが０．５ｍｓ以上となる。
【００８５】
このようにテーブルＴ２を用いて制御部２０が制御動作を行うことによっても、実施の形態１で説明した時分割駆動による効果とバースト制御による効果を得ることができる。
すなわち、スイッチング素子Ｑ２のチョッピング動作を行う動作期間と、チョッピング動作を休止する休止期間が交互に形成され、休止期間においてスイッチング素子Ｑ２はオフに維持される。そして、光源スイッチＱ３，Ｑ４，Ｑ５，Ｑ６の切り替えタイミングは、休止期間の中で、休止期間の開始時点から時間をおいて行われる。
【００８６】
従って、電流Ｉ１及び電圧ＶＣ１が低下してから、光源スイッチＱ３，Ｑ４，Ｑ５，Ｑ６の切り替えがなされるので、各光源スイッチにかかるストレスは少なくなり、直列負荷回路３０，４０，５０，６０に突入電流が発生するのを抑える効果もある。
一方、実施の形態１の照明器具１００では、調光調色信号Ｖａ（ｎ）によって一周期の時間が変わるが、本実施形態の照明器具では、一周期の時間は[taｓ＋tｂｓ＋tｃｓ＋tｄｓ]で一定である。図６（ｂ）に示す具体例では、一周期の時間は１４ｍｓである。
【００８７】
＜実施の形態３＞
本実施形態にかかる照明器具の構成も、図１に示した実施の形態１の照明器具１００と同様である。また、制御部２０の制御動作も、図２に示したフローチャートに基づいて行われる。
ただし、本実施の形態では、制御部２０は、図５（ｃ）のテーブルＴ３を備え、このテーブルＴ３を参照して制御動作を行う。
【００８８】
本実施の形態の照明器具において、調光調色信号Ｖａ（ｎ）が指示する番号に基づいて、テーブルＴ３から出力制御時間データｔａ（ｎ），ｔｂ（ｎ），ｔｃ（ｎ），ｔｄ（ｎ）が読み出されて、その出力制御時間データｔａ（ｎ），ｔｂ（ｎ），ｔｃ（ｎ），ｔｄ（ｎ）に基づいて光源スイッチＱ３，Ｑ４，Ｑ５，Ｑ６の切り替えが成される点は実施の形態１と同様である。
【００８９】
一方、本実施形態の照明器具では、テーブルＴ３に格納されている各出力制御時間データＴＡ（ｎ），ＴＢ（ｎ），ＴＣ（ｎ），ＴＤ（ｎ）の値は、固定値ＴＡｓ，ＴＢｓ，ＴＣｓ，ＴＤｓとなっていて、調光調色信号Ｖａによっては変わらない点が、実施の形態１と異なっている。
テーブルＴ３において、出力制御時間データｔａ（ｎ），ｔｂ（ｎ），ｔｃ（ｎ），ｔｄ（ｎ）の値は、出力制御時間データＴＡｓ，ＴＢｓ，ＴＣｓ，ＴＤｓの値よりも、常に大きい値に設定されている。
【００９０】
このようにテーブルＴ３を用いて制御部２０が制御動作を行うことによっても、実施の形態１で説明したバースト制御による効果を得ることができる。
すなわち、スイッチング素子Ｑ２のチョッピング動作を行う動作期間と、チョッピング動作を休止する休止期間が交互に形成され、休止期間においてはスイッチング素子Ｑ２はオフに維持される。そして、光源スイッチＱ３，Ｑ４，Ｑ５，Ｑ６の切り替えタイミングは、休止期間の中で、休止期間の開始時点から時間をおいて行われる。
【００９１】
従って、電流Ｉ１及び電圧ＶＣ１が低下した時点で、光源スイッチＱ３，Ｑ４，Ｑ５，Ｑ６の切り替えがなされるので、各光源スイッチにかかるストレスは少なくなり、直列負荷回路３０，４０，５０，６０に突入電流が発生するのを抑える効果もある。
一方、実施の形態１の照明器具１００では、調光調色信号Ｖａ（ｎ）によってＬＥＤ群３，４，５，６の点灯時間が変わるが、本実施形態の照明器具では、出力制御時間データＴＡ（ｎ），ＴＢ（ｎ），ＴＣ（ｎ），ＴＤ（ｎ）が固定値なので、ＬＥＤ群３、４，５，６の点灯時間の比率は変わらない。
【００９２】
従って、調光調色信号Ｖａ（ｎ）が変わっても、出射される光の発光色は基本的に変わらない。ただし、調光調色信号Ｖａ（ｎ）によって休止期間の長さを変えることができ、それによって、１周期の中で発光時間が占める割合も変わるので、調光することはできる。
＜実施の形態４＞
実施形態４にかかる照明器具１００の回路構成は、図１に示した実施の形態１の照明器具１００と同様である。
【００９３】
ただし、実施の形態１の照明器具１００では、出力電流データＩＡが固定されていたのに対して、本実施形態の照明器具１００では、調色信号データＶａ（ｎ）によって出力電流データＩＡが変わる点が異なっている。
本実施形態の照明器具１００では、制御部２０におけるメモリには、テーブルＴ１に変えて図５（ｄ）に示されるテーブルＴ４が格納されている。
【００９４】
このテーブルＴ４は、調色信号データＶａ（ｎ）と、バースト制御時間データＴＡ（ｎ），ＴＢ（ｎ），ＴＣ（ｎ），ＴＤ（ｎ）及び出力制御時間データｔａ（ｎ），ｔｂ（ｎ），ｔｃ（ｎ），ｔｄ（ｎ）とが対応づけて記憶されている点はテーブルＴ１と同様である。ただし、テーブルＴ４においては、これに加えて、調色信号データＶａ（ｎ）と対応づけて出力電流データＩＡ（ｎ）（Ａ（０）〜（２５５））が記憶されている。
【００９５】
この出力電流データＩＡ（ｎ）は、直流電圧変換回路１２がチョッピング動作を行うときの出力電流Ｉ１の目標値に相当するものである。
制御部２０の制御動作を示すフローチャートは、図２に示したフローチャートと同様である。ただし、ステップＳ１，Ｓ１９において、テーブルＴ４から、バースト制御時間データＴＡ（ｎ），ＴＢ（ｎ），ＴＣ（ｎ），ＴＤ（ｎ）及び出力制御時間データｔａ（ｎ），ｔｂ（ｎ），ｔｃ（ｎ），ｔｄ（ｎ）に加えて、出力制御電流データＩＡ（ｎ）を読み出す。
【００９６】
そして、その出力制御電流データＩＡ（ｎ）を半導体素子ＩＣ１に出力する。半導体素子ＩＣ１は、チョッピング期間において、その出力制御電流データＩＡ（ｎ）を電流目標値とし、電流検出回路１４からの電圧信号をモニタリングしながらフィードバック制御して、出力電流Ｉ１を電流目標値ＩＡ（ｎ）に合わせる。
図７（ａ），（ｂ）は、半導体素子ＩＣ１に入力される出力制御電流データＩＡ（ｎ）の大きさによって、光源ユニット１に出力する電流Ｉ１が調整される様子を示すタイミングチャートである。
【００９７】
（ａ）は、出力制御電流データＩＡ（ｎ）の値Ａ０が比較的大きい場合（例えば２０ｍＡ）を示し、（ｂ）は、出力制御電流データＩＡ（ｎ）の値Ａ１が比較的小さい場合（例えば１０ｍＡ）を示す。（ａ），（ｂ）の各図において、スイッチング素子Ｑ２のオン／オフ、インダクタＬ２を流れる脈流電流ＩＬ２、直流電圧変換回路１２からの出力電流Ｉ１を示す。
【００９８】
半導体素子ＩＣ１は、出力制御電流データＩＡ（ｎ）に合うように、スイッチング素子Ｑ２をオン／オフする各パルスＯＮ幅（Ｔon）を増減させる。
すなわち半導体素子ＩＣ１は、出力電流Ｉ１をモニタリングして、出力電流Ｉ１が出力制御電流データＩＡ（ｎ）より小さいときは、パルスＯＮ幅（Ｔon）を増加させる。一方、出力電流Ｉ１が出力制御電流データＩＡ（ｎ）より大きいときは、パルスＯＮ幅（Ｔon）を減少させる。
【００９９】
図７の（ａ），（ｂ）を比較するとわかるように、スイッチング素子Ｑ２のパルスＯＮ幅（Ｔon）が小さいと、脈流電流ＩＬ２の山の大きさが小さくなり、その結果、出力電流Ｉ１も小さくなる。
このように半導体素子ＩＣ１がスイッチング素子Ｑ２のパルスＯＮ幅を制御することによって、図７（ａ），（ｂ）におけるＩ１の波形に示されるように、出力電流Ｉ１は、目標値ＩＡ（ｎ）であるＡ０，Ａ１に合せられることとなる。
【０１００】
また、図７（ａ），（ｂ）におけるＱ２の波形とＩＬ２の波形からわかるように、Ｑ２のパルスがＯＮの期間は脈流電流ＩＬ２が上昇し、Ｑ２がＯＦＦの期間は脈流電流ＩＬ２が低下する。ここで本実施形態では、半導体素子ＩＣ１は、脈流電流ＩＬ２が０近くまで低下した時点で、スイッチング素子Ｑ２をオフからオンに切り替える制御をしている。
それによって、図７における（ａ）よりも（ｂ）ではＱ２の周波数が大きくなっていることからわかるように、スイッチング素子Ｑ２のパルスＯＮ幅（Ｔon）が小さいときは、チョッピング周波数が増加することになる。
【０１０１】
従って、出力電流Ｉ１の目標値ＩＡ（ｎ）が小さいときは、スイッチング素子Ｑ２のチョッピング周波数が大きくなるので、チラつきが目立つことなく、光源ユニット１からの出射光の光量を低減することができる。
本実施形態の照明器具においても、実施の形態１で説明したバースト制御による効果は同様に得ることができる。
【０１０２】
さらに、本実施形態の照明器具によれば、バースト制御時間データＴＡ（ｎ），ＴＢ（ｎ），ＴＣ（ｎ），ＴＤ（ｎ）によってＬＥＤ群３，４，５，６の点灯時間を変えて調色を行うと共に、出力制御電流データＩＡ（ｎ）を変えて電流量を変えることによる調光をすることができる。
従って、本実施形態によれば、調色及び調光を両立した制御を簡素に行うことでき、よりレンジの広い調光を行うこともできる。
【０１０３】
＜実施の形態５＞
図８は、実施の形態５にかかる照明器具２００の回路構成を示す図である。当図において、図１に示した照明器具１００と同一の構成要素には同じ符号を付けている。
本実施形態にかかる照明器具２００は、実施の形態１の照明器具１００と同様の構成であるが、電力ユニット１０において、直流電圧変換回路１２の出力端に放電回路１５が接続されている点が異なっている。
【０１０４】
照明器具２００の動作は、照明器具１００の動作と基本的に同様であって、制御部２０は図２のフローチャートに基づいて制御動作を行う。
電力ユニット１０に設けられた放電回路１５は、４つの直列負荷回路３０，４０，５０，６０と並列に接続されている。
この放電回路１５は、スイッチング素子Ｑ２がＯＦＦとなっている間に、コンデンサＣ２に蓄積された電荷の放電を促進する機能を有する。
【０１０５】
放電回路１５は、インピーダンス素子からなり、ここでは抵抗Ｒ３で構成されている。ただし、抵抗Ｒ３に限られず、コンデンサＣ２に蓄積された電荷を放電させる機能があればよく、例えば放電回路１５はインダクタンス回路であってもよい。
このように、本実施の形態にかかる照明器具２００においては、電力ユニット１０の出力端に直列負荷回路と並列に放電回路１５を有するので、照明器具１００と比べて、バースト動作の休止期間において、コンデンサＣ２に蓄積された電荷の放電が速くなされる。従って、休止期間において電流Ｉ１及び電圧ＶＣ１の低下が速くなり、より短い時間で電流Ｉ１が０に近づく。
【０１０６】
よって、この照明器具２００においては、照明器具１００と比べて、休止期間の時間長さをより短く設定しても、突入電流を抑制する効果を同様に得ることができる。
そして、休止期間の時間長さを短く設定すると、その分、光源スイッチＱ３〜Ｑ６を順に切り替える１周期の時間を短くでき、ちらつきが生じにくくなる。
なお、この放電回路１５にはチョッピング動作期間においても電流が流れるが、放電回路１５に流れる電流は点灯に寄与しない。従って、放電回路１５には、小電流が流れるように、直列負荷回路３０，４０，５０，６０のインピーダンスの中で最も高いインピーダンスと比べて、１０倍程度以上の高いインピーダンスを持つインピーダンス素子を用いることが好ましい。
【０１０７】
＜実施の形態６＞
実施の形態６にかかる照明器具は、図１に示した照明器具１００と同様の回路構成である。また、マイコンＩＣ２内のテーブルＴ１も同様であるが、照明器具１００の動作に違いがある。
すなわち、実施の形態１の照明器具１００では、光源スイッチ素子Ｑ３，４，５，６の切り替えを行うタイミングと同時に、半導体素子ＩＣ１におけるチョッピング動作を開始した（図３のｔ1，ｔ3，ｔ5、ｔ7参照）。それに対して、本実施形態の照明器具１００では、光源スイッチＱ３，４，５，６の切り替えを行ってから、微小な時間ΔＴ経過後に、半導体素子ＩＣ１におけるチョッピング動作を開始している。
【０１０８】
図９は、本実施形態にかかる制御部２０の制御動作を示すフローチャートである。
このフローチャートは、図２に示したフローチャートと同様であるが、ステップＳ２の代わりにステップＳ２−１〜Ｓ２−３の制御動作を行う。それによって、光源スイッチの切り替えを、休止期間の終了時点よりも時間ΔＴだけ前に行うようにする。すなわち、オンとなる光源スイッチがＱ３からＱ４に切り替わってから、時間ΔＴが経過した後に、スイッチング素子Ｑ２のチョッピング動作が開始される。
【０１０９】
また、ステップＳ６の代わりにステップＳ６−１〜Ｓ６−３の制御動作を行う。それによって、オンとなる光源スイッチがＱ４からＱ５に切り替わってから、時間ΔＴが経過した後に、スイッチング素子Ｑ２のチョッピング動作が開始される。
図９のフローチャートではステップＳ１０〜Ｓ１７は省略しているが、同様に、図２に示したステップＳ１０でも、オンとなる光源スイッチをＱ５からＱ６に切り替えてから、時間ΔＴだけ経過した後に、スイッチング素子Ｑ２のチョッピング動作を開始する。また、図２に示したステップＳ１４でも、オンとなる光源スイッチがＱ６からＱ３に切り替わってから、時間ΔＴが経過した後に、スイッチング素子Ｑ２のチョッピング動作を開始する。
【０１１０】
図１０は、この制御動作の結果形成される光源スイッチＱ３，Ｑ４，Ｑ５のゲート電圧、スイッチング素子Ｑ２のゲート電圧、電力ユニット１０から出力される電流Ｉ１を示す波形図である。
図１０に示されるように、光源スイッチＱ３，４，５，６の切り替えがなされるタイミングは、休止期間の終了時点よりも時間ΔＴだけ前である（図１０のｔ1〜ｔ2，ｔ4〜ｔ5，ｔ7〜ｔ8，ｔ10〜t11）。
【０１１１】
（本実施の形態にかかる照明器具１００の効果）
実施の形態１の照明器具１００では、光源スイッチＱ３，４，５，６の切替タイミングと、スイッチング素子Ｑ２のチョッピング動作の開始が同時になされるように設定されているので、基本的には光源スイッチＱ３，４，５，６の切替時に電流は流れない。しかし、そのタイミングが多少ずれて光源スイッチＱ３，４，５，６よりもチョッピング動作の開始が少し先になされた場合には、光源スイッチＱ３，４，５，６の切替時に電流が流れてします。
【０１１２】
これに対して、本実施形態の照明器具１００では、光源スイッチＱ３，４，５，６の切替時点が、休止期間の終了時点よりも時間ΔＴだけ前に設定されている。それによって、光源スイッチＱ３，４，５，６の切替タイミングが多少遅れたり、或いはチョッピング動作開始のタイミングが早まったりしても、そのずれ量が時間ΔＴより小さければ、光源スイッチＱ３，４，５，６の切替時には電流が流れない。
【０１１３】
従って、本実施形態の照明器具１００によれば、光源スイッチＱ３，４，５，６の切替を、より確実に電流が少ない状態で行うことができる。
よって、光源スイッチＱ３，４，５，６及びＬＥＤ群３，４，５，６の長寿命化をより確実に図ることができる。
＜変形例＞
以上、実施の形態に基づいて発明を説明したが、本発明は上記実施の形態に限定されることがなく、以下のような変形例も実施できる。
【０１１４】
１．光源
上記実施の形態では、光源ユニットにおいて、発光色が異なる４種類のＬＥＤ群を用いたが、これに限らない。光源の発光色は、３種類あるいは２種類でもよいし、５種類以上でもよい。
また光源を構成する半導体発光素子としては、ＬＥＤ以外に、有機ＥＬ（Electro  Luminescence）素子、レーザダイオード（Laser  Diode）素子等を用いることもできる。
【０１１５】
また、上記実施の形態では、複数の光源は、発光色がすべて異なっていたが、一部の光源において互いに発光色が同じものがあってもよい。
上記実施の形態等では、ＬＥＤの発光色をＲ（赤），Ｇ（緑），Ｂ（青），Ｗ（白色）としているが、例えば、色温度が異なる白色光を発する複数のＬＥＤを用いてもよい。
２．直流電源回路
上記実施の形態では、平滑回路として昇圧チョッパ回路を用いたが、例えば、平滑コンデンサを単体で用いてもよい。また、直流電圧変換回路として降圧チョッパ回路を用いたが、例えば、フライバック回路のような他のＤＣ−ＤＣコンバータ等を用いてもよい。
【０１１６】
３．光源スイッチ
上記実施形態等では、光源スイッチとして、ＭＯＳＦＥＴを用いたが、バイポーラトランジスタ等のスイッチング素子も用いてもよい。
４．制御回路
上記実施の形態では、ＬＥＤ群３，４，５，６を発光させる時間や、出力制御電流データＩＡ（ｎ）を、制御部２０がテーブルに記憶させていたが、これに限らない。例えば、調光調色信号にバースト制御時間データＴＡ（ｎ），ＴＢ（ｎ），ＴＣ（ｎ），ＴＤ（ｎ）、出力制御時間データｔａ（ｎ），ｔｂ（ｎ），ｔｃ（ｎ），ｔｄ（ｎ）、出力制御電流データＩＡ（ｎ）を含ませて、制御部２０がそれを受け取るようにしても、同様に実施できる。
【０１１７】
また調色制御するための信号と、調光制御するための信号とを、２系統から制御部２０に入力して、それに基づいて制御部２０が同様の制御を行うことも可能である。
５．実施の形態５のように電力ユニット１０に放電回路１５を設けることを、実施の形態２，３，４，６の駆動方法のいずれかと組み合わせてもよい。
【符号の説明】
【０１１８】
１  光源ユニット
２  点灯装置
３，４，５，６  ＬＥＤ群
１０  電力ユニット
１１  直流電源回路
１１ａ  全波整流回路
１１ｂ  平滑回路
１２  直流電圧変換回路
１３  電流検出回路
１４  バースト制御回路
１５  放電回路
３０，４０，５０，６０  直列負荷回路
１００，２００  照明器具
１００ａ，１００ｂ，１００ｃ  照明装置
ＩＣ１  半導体素子
ＩＣ２  マイコン
Ｃ１  コンデンサ
Ｄ２  ダイオード
Ｌ２  インダクタ
Ｃ２  コンデンサ
Ｒ２  固定抵抗素子
Ｔ１，Ｔ２、Ｔ３，Ｔ４  テーブル
Ｑ３，Ｑ４，Ｑ５，Ｑ６…光源スイッチＱ
ＴＡ〜ＴＤ  出力制御時間データ
ｔａ〜ｔｄ  出力制御時間データ
ＩＡ        出力制御時間データ
【図１】
2015103503.tif 000003
【図２】
2015103503.tif 000004
【図３】
2015103503.tif 000005
【図４】
2015103503.tif 000006
【図５】
2015103503.tif 000007
【図６】
2015103503.tif 000008
【図７】
2015103503.tif 000009
【図８】
2015103503.tif 000010
【図９】
2015103503.tif 000011
【図１０】
2015103503.tif 000012
【図１１】
2015103503.tif 000013